(57)【要約】【課題】蓋壁を開くことで自動的に傾動片を側壁の外側に倒すことができる包装箱を提供する。【解決手段】  包装箱１は、側壁１０〜１３に上稜部折曲線Ｌ３を介して連設されている上方のフラップ３０〜３３と、一対の切目線４０Ｌの間に形成されている傾動片４０と、を備え、傾動片４０は、側壁１０〜１３に形成されている側片部４０Ａと、上方のフラップ３０〜３３に形成されている蓋片部４０Ｂと、蓋片部４０Ｂの基端側に形成されている蓋片折曲線５１Ｌと、蓋片部４０Ｂの剛性を低下させる中間折目部６０と、を含み、上稜部折曲線Ｌ３を支点として側壁１０〜１３の外側に上方のフラップ３０〜３３を開く動作に連動して、側片部４０Ａは中間折目部６０を押し上げながら側壁１０〜１３の外側に向かって倒れ、蓋片部４０Ｂは中間折目部６０で山折りされながら蓋片折曲線５１Ｌで谷折りされる。【選択図】図６
2019137409.tif 000002
【特許請求の範囲】
【請求項１】
側壁（１０〜１３）と、
前記側壁に稜部折曲線（Ｌ３）を介して連設されている蓋壁（３０〜３３）と、
前記稜部折曲線に交差して延びた一対の切目線（４０Ｌ，４７Ｌ，４８Ｌ）の間に形成されている傾動片（４０〜４８）と、を備え、
前記傾動片は、
前記側壁に形成されている側片部（４０Ａ，４７Ａ，４８Ａ）と、
前記蓋壁に形成されている蓋片部（４０Ｂ，４７Ｂ，４８Ｂ）と、
前記稜部折曲線を挟んで前記側片部とは反対側となる前記蓋片部の基端側に前記稜部折曲線と平行に形成されている蓋片折曲線（５１Ｌ）と、
前記稜部折曲線と前記蓋片折曲線との間で前記蓋片部に形成され、前記蓋片部の剛性を低下させる中間折目部（６０〜６６）と、を含み、
前記稜部折曲線を支点として前記側壁の外側に前記蓋壁を開く動作に連動して、前記側片部は前記中間折目部を押し上げながら前記側壁の外側に向かって倒れ、前記蓋片部は前記中間折目部で山折りされながら前記蓋片折曲線で谷折りされることを特徴とする包装箱。
【請求項２】
前記側壁および前記蓋壁は段ボールシートで形成され、
前記中間折目部は、前記段ボールシートを厚み方向に潰した段潰領域（６０Ａ）であることを特徴とする請求項１に記載の包装箱。
【請求項３】
前記側壁および前記蓋壁は段ボールシートで形成され、
前記中間折目部は、前記段ボールシートを表側から厚み方向に直線状に潰した逆罫線、前記段ボールシートを厚み方向に直線状に切断した切断線、前記段ボールシートを厚み方向に切断した複数の切目を直線状に間隔をあけて並べたミシン線、前記段ボールシートを厚み方向に直線状に潰した罫線上に前記複数の切目を間隔をあけて並べたリード罫線または前記段ボールシートを裏側から厚み方向の途中まで直線状に切断した半切り線によって構成された中間折曲線（６０Ｂ，６３Ｂ〜６６Ｂ）であることを特徴とする請求項１に記載の包装箱。
【請求項４】
前記中間折目部は、前記段ボールシートを厚み方向に潰した段潰領域（６０Ａ）に前記中間折曲線を形成したものであることを特徴とする請求項３に記載の包装箱。
【請求項５】
前記段潰領域は、前記稜部折曲線と前記蓋片折曲線とから離間した位置で、且つ前記稜部折曲線と前記蓋片折曲線との間隔の１／３以上２／３以下の範囲に形成されていることを特徴とする請求項２または４に記載の包装箱。
【請求項６】
前記傾動片は、前記稜部折曲線を挟んで前記蓋片部とは反対側となる前記側片部の基端側に前記稜部折曲線と平行に形成されている側片折曲線（５０Ｌ）を更に含み、
前記稜部折曲線を支点として前記側壁の外側に前記蓋壁を開く動作に連動して、前記側片部は、前記側片折曲線を支点として前記側壁の外側に向かって倒れることを特徴とする請求項１ないし５のいずれかに記載の包装箱。
【請求項７】
前記一対の切目線は、前記側壁から前記蓋壁に向かって互いに接近するように傾斜していることを特徴とする請求項１ないし６のいずれかに記載の包装箱。
【請求項８】
前記一対の切目線は、前記側壁から前記蓋壁に向かって互いに離間するように傾斜していることを特徴とする請求項１ないし６のいずれかに記載の包装箱。
【発明の詳細な説明】
【技術分野】
【０００１】
本発明は、包装箱に関する。
【背景技術】
【０００２】
内容物の取り出しを容易に行うことができる包装箱が知られている。
【０００３】
例えば、特許文献１に記載の開放ロック付包装箱には、側板と蓋板の稜部折目線を跨ぐ２本の切目線の間にロック片が設けられている。ロック片の側板部分である側片部の両側縁には張出部および切欠部が設けられている。ロック片の蓋板部分である蓋片部の基端には基部折目線が入れられている。この開放ロック付包装箱を開封する場合、ユーザは、蓋板を開いて側板の外側へ折り返した後、基部折目線をヒンジとして側片部と蓋片部とが重なり合ったロック片を外側へ倒す。すると、側片部の張出部が蓋片部の抜出穴の側縁に係合して、切欠部に蓋板が噛み込むようになっていた。これにより、蓋板が開いた状態に保持され、且つロック片と物品との間に隙間が生じるため、物品の取り出しを容易に行うことができた。
【先行技術文献】
【特許文献】
【０００４】
【特許文献１】特許第５１８９４１４号公報
【発明の概要】
【発明が解決しようとする課題】
【０００５】
しかしながら、上記した開放ロック付包装箱では、蓋板を折り返す作業の後にロック片を外側に倒す作業を行う必要があるため、例えば、ロック片の使用法を知らないユーザはロック片を適正に使うことができず、包装箱から物品を容易に取り出すことができなかった。また、例えば、包装箱にロック片の使用法を印刷してユーザに示すことも考えられるが、この場合、使用法を印刷するために余計なコストがかかるという問題があった。
【０００６】
本発明は、上記課題を解決するために、蓋壁を開くことで自動的に傾動片を側壁の外側に倒すことができる包装箱を提供する。
【課題を解決するための手段】
【０００７】
上記した目的を達成するため、本発明の包装箱は、側壁と、前記側壁に稜部折曲線を介して連設されている蓋壁と、前記稜部折曲線に交差して延びた一対の切目線の間に形成されている傾動片と、を備え、前記傾動片は、前記側壁に形成されている側片部と、前記蓋壁に形成されている蓋片部と、前記稜部折曲線を挟んで前記側片部とは反対側となる前記蓋片部の基端側に前記稜部折曲線と平行に形成されている蓋片折曲線と、前記稜部折曲線と前記蓋片折曲線との間で前記蓋片部に形成され、前記蓋片部の剛性を低下させる中間折目部と、を含み、前記稜部折曲線を支点として前記側壁の外側に前記蓋壁を開く動作に連動して、前記側片部は前記中間折目部を押し上げながら前記側壁の外側に向かって倒れ、前記蓋片部は前記中間折目部で山折りされながら前記蓋片折曲線で谷折りされる。
【０００８】
この場合、前記側壁および前記蓋壁は段ボールシートで形成され、前記中間折目部は、前記段ボールシートを厚み方向に潰した段潰領域であることが好ましい。
【０００９】
他の場合、前記側壁および前記蓋壁は段ボールシートで形成され、前記中間折目部は、前記段ボールシートを表側から厚み方向に直線状に潰した逆罫線、前記段ボールシートを厚み方向に直線状に切断した切断線、前記段ボールシートを厚み方向に切断した複数の切目を直線状に間隔をあけて並べたミシン線、前記段ボールシートを厚み方向に直線状に潰した罫線上に前記複数の切目を間隔をあけて並べたリード罫線または前記段ボールシートを裏側から厚み方向の途中まで直線状に切断した半切り線によって構成された中間折曲線であることが好ましい。
【００１０】
この場合、前記中間折目部は、前記段ボールシートを厚み方向に潰した段潰領域に前記中間折曲線を形成したものであることが好ましい。
【００１１】
この場合、前記段潰領域は、前記稜部折曲線と前記蓋片折曲線とから離間した位置で、且つ前記稜部折曲線と前記蓋片折曲線との間隔の１／３以上２／３以下の範囲に形成されていることが好ましい。
【００１２】
これらの場合、前記傾動片は、前記稜部折曲線を挟んで前記蓋片部とは反対側となる前記側片部の基端側に前記稜部折曲線と平行に形成されている側片折曲線を更に含み、前記稜部折曲線を支点として前記側壁の外側に前記蓋壁を開く動作に連動して、前記側片部は、前記側片折曲線を支点として前記側壁の外側に向かって倒れることが好ましい。
【００１３】
この場合、前記一対の切目線は、前記側壁から前記蓋壁に向かって互いに接近するように傾斜していることが好ましい。
【００１４】
他の場合、前記一対の切目線は、前記側壁から前記蓋壁に向かって互いに離間するように傾斜していることが好ましい。
【発明の効果】
【００１５】
本発明によれば、蓋壁を開くことで自動的に傾動片を側壁の外側に倒すことができる。
【図面の簡単な説明】
【００１６】
【図１】本発明の一実施形態に係る包装箱を示す斜視図である。
【図２】本発明の一実施形態に係る包装箱のブランクを示す平面図である。
【図３】本発明の一実施形態に係る包装箱の傾動片等を拡大して示す平面図である。
【図４】図２のＩＶ−ＩＶ断面図である。
【図５】本発明の一実施形態に係る包装箱に内容物を収容する過程を示す斜視図である。
【図６】本発明の一実施形態に係る包装箱から内容物を取り出す過程を示す斜視図である。
【図７】図６のＶＩＩ−ＶＩＩ断面図である。
【図８】本発明の一実施形態の第１変形例に係る包装箱の傾動片等を拡大して示す平面図である。
【図９】本発明の一実施形態の第２変形例に係る包装箱の傾動片等を拡大して示す平面図である。
【図１０】本発明の一実施形態の第３変形例に係る包装箱の傾動片等を拡大して示す平面図である。
【図１１】本発明の一実施形態の第４変形例に係る包装箱の傾動片等を拡大して示す平面図である。
【図１２】本発明の一実施形態の第５変形例に係る包装箱の傾動片等を拡大して示す平面図である。
【図１３】本発明の一実施形態の第６変形例に係る包装箱の傾動片等を拡大して示す平面図である。
【図１４】本発明の一実施形態の第７変形例に係る包装箱の傾動片等を拡大して示す平面図である。
【図１５】本発明の一実施形態の第８変形例に係る包装箱の傾動片等を拡大して示す平面図である。
【発明を実施するための形態】
【００１７】
以下、添付の図面を参照しつつ、本発明の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。前後方向は、左右方向（長手方向）に直交（交差）し、上下方向は前後方向と左右方向とに直交（交差）している。本明細書では方向や位置を示す用語を用いるが、それらの用語は説明の便宜のために用いるものであって、本発明の技術的範囲を限定するものではない。
【００１８】
図１ないし図４を参照して、一実施形態に係る包装箱１の構成について説明する。図１は包装箱１を示す斜視図である。図２は包装箱１のブランク５を示す平面図である。図３は包装箱１の傾動片４０等を拡大して示す平面図である。図４は、図２のＩＶ−ＩＶ断面図である。
【００１９】
［包装箱の概要］
図１に示すように、包装箱１は、左右方向に長い略直方体状に形成されている。包装箱１は、略角筒状の周壁１Ｗの上面および下面を閉じることで封緘されるＡ式の箱である。包装箱１の内部には、例えば、前後方向に並んだ２つの内容物Ｍが収容されている（図５参照）。内容物Ｍは、略直方体状に形成されており、包装箱１の内周面との間に殆ど隙間の無い状態で収容されている（図６参照）。
【００２０】
包装箱１は、図２に示すブランク５を組み立てることで形成される。ブランク５は、一枚の紙製の段ボールシートを抜型等で打ち抜いて形成されている。段ボールシートは、例えば、波状の中しん９Ａに表ライナ９Ｂと裏ライナ９Ｃ（図４参照）とを貼り合せた両面段ボールシートである。なお、図２は、表ライナ９Ｂ側（包装箱１の外面側）を示している。本明細書では、段ボールの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。また、本明細書では、「上（天）」、「下（底）」およびこれに類する用語は、包装箱１を組み立てた状態（組立状態）における上（天）、下（底）およびこれに類する概念を指している。
【００２１】
［ブランク］
図２に示すように、ブランク５は、一対の第１側壁１０，１１と、一対の第２側壁１２，１３と、継代片１４と、一対の下内フラップ２０，２１と、一対の下外フラップ２２，２３と、一対の上内フラップ３０，３１と、一対の上外フラップ３２，３３と、を備えている。
【００２２】
＜第１側壁，第２側壁＞
第１側壁１０、第２側壁１２、第１側壁１１、第２側壁１３および継代片１４は、この順番で流れ方向一方から他方に向かって一列に並んでいる。一対の第１側壁１０，１１と一対の第２側壁１２，１３とは、段方向に延びた縦稜部折曲線Ｌ１を介して交互に連設されている。第１側壁１０，１１および第２側壁１２，１３は、段方向に略同一寸法となる略長方形状に形成されている。第１側壁１０，１１は、第２側壁１２，１３よりも流れ方向に幅狭く形成されている。継代片１４は、第２側壁１３の流れ方向他端部に縦稜部折曲線Ｌ１を介して連設されている。なお、第２側壁１２，１３が各第１側壁１０，１１よりも流れ方向に幅狭く形成されていてもよい。
【００２３】
＜下内フラップ，下外フラップ＞
一対の下内フラップ２０，２１は、流れ方向に延びた下稜部折曲線Ｌ２を介して一対の第１側壁１０，１１の段方向一端部（下端部）に連設されている。下内フラップ２０，２１は、第１側壁１０，１１の流れ方向の寸法と略同一幅を有する略長方形状に形成されている。下内フラップ２０，２１の段方向の寸法（延出寸法）は、第１側壁１０，１１の流れ方向の寸法の略半分に設定されている。一対の下外フラップ２２，２３は、下稜部折曲線Ｌ２を介して一対の第２側壁１２，１３の段方向一端部（下端部）に連設されている。下外フラップ２２，２３は、第２側壁１２，１３の流れ方向の寸法と略同一幅を有する略長方形状に形成されている。下外フラップ２２，２３の段方向の寸法（延出寸法）は、下内フラップ２０，２１の延出寸法と略同一である。
【００２４】
＜上内フラップ，上外フラップ＞
蓋壁の一例としての一対の上内フラップ３０，３１は、流れ方向に延びた上稜部折曲線Ｌ３を介して一対の第１側壁１０，１１の段方向他端部（上端部）に連設されている。また、蓋壁の一例としての一対の上外フラップ３２，３３は、上稜部折曲線Ｌ３を介して一対の第２側壁１２，１３の段方向他端部（上端部）に連設されている。上内フラップ３０，３１は下内フラップ２０，２１と略同一形状に形成され、上外フラップ３２，３３は下外フラップ２２，２３と略同一形状に形成されている。
【００２５】
なお、縦稜部折曲線Ｌ１、下稜部折曲線Ｌ２および上稜部折曲線Ｌ３は、段ボールシートを裏ライナ９Ｃ側から厚み方向に直線状に潰した汎用罫線である。これらの折曲線Ｌ１〜Ｌ３は、裏ライナ９Ｃを内側に向けるように段ボールシートを折曲させる機能を有している。また、包装箱１は、第１側壁１０と第２側壁１３とを縦稜部折曲線Ｌ１に沿って折り曲げ、継代片１４を第１側壁１０の内面に接着剤で接着し、折り畳まれた状態で出荷される。なお、接着剤としては、例えば、ホットメルト接着剤、合成樹脂系エマルジョン接着剤または両面テープ等を用いることができる。
【００２６】
＜傾動片＞
図２に示すように、この包装箱１（ブランク５）には、内容物Ｍを取り出す際にユーザが手（指）を入れる空間Ｓを形成するための４つの傾動片４０が備えられている。４つの傾動片４０は、４つの側壁１０〜１３と上方の４つのフラップ３０〜３３とに亘って形成されている。これらの傾動片４０は、一対の第１側壁１０，１１等において第２側壁１２の側に寄った位置に一対形成され、一対の第２側壁１２，１３等において第１側壁１１の側に寄った位置に一対形成されている。つまり、４つの傾動片４０は、包装箱１の上部後方にて左右に一対形成され、包装箱１の上部右方にて前後に一対形成されている（図１および図４参照）。なお、４つの傾動片４０は同一形状であるため、以下、第１側壁１０および上内フラップ３０に形成された１つの傾動片４０について説明する。
【００２７】
図３に示すように、傾動片４０は、第１側壁１０および上内フラップ３０にて上稜部折曲線Ｌ３に直交（交差）して延びた一対の切目線４０Ｌの間に形成されている。一対の切目線４０Ｌは、流れ方向に間隔をあけて上稜部折曲線Ｌ３を横切るように段方向に沿って平行に延びている。一対の切目線４０Ｌは、段ボールシートを厚み方向に直線状に切断した切断線である。
【００２８】
傾動片４０は、側片部４０Ａと、蓋片部４０Ｂと、を含んでいる。側片部４０Ａは第１側壁１０に形成され、蓋片部４０Ｂは上内フラップ３０に形成されている。側片部４０Ａと蓋片部４０Ｂとは、上稜部折曲線Ｌ３を介して連設されている。
【００２９】
（側片部，蓋片部）
側片部４０Ａおよび蓋片部４０Ｂは、流れ方向に略同一寸法となる略長方形状に形成されている。詳細には、側片部４０Ａは、段方向の寸法よりも流れ方向の寸法（一対の切目線４０Ｌの間隔）の方が僅かに長い長方形状に形成されている。蓋片部４０Ｂは、段方向の寸法よりも流れ方向の寸法の方が僅かに短い長方形状に形成されている。蓋片部４０Ｂの段方向の寸法は、上内フラップ３０の延出寸法の略半分に設定されている。側片部４０Ａの段方向の寸法は、蓋片部４０Ｂの段方向の寸法よりも僅かに短く設定されている。
【００３０】
（側片折曲線，蓋片折曲線）
上稜部折曲線Ｌ３を挟んで蓋片部４０Ｂとは反対側となる側片部４０Ａの基端側には、側片折曲線５０Ｌが上稜部折曲線Ｌ３と平行に形成されている。側片折曲線５０Ｌは、第１側壁１０における一対の切目線４０Ｌの端部を結ぶ汎用罫線である。上稜部折曲線Ｌ３を挟んで側片部４０Ａとは反対側となる蓋片部４０Ｂの基端側には、蓋片折曲線５１Ｌが上稜部折曲線Ｌ３と平行に形成されている。蓋片折曲線５１Ｌは、上内フラップ３０における一対の切目線４０Ｌの端部を結ぶ汎用罫線である。側片部４０Ａは側片折曲線５０Ｌを介して第１側壁１０に連設され、蓋片部４０Ｂは蓋片折曲線５１Ｌを介して上内フラップ３０に連設されている。つまり、傾動片４０は、側片折曲線５０Ｌと蓋片折曲線５１Ｌとの間に架け渡されている。
【００３１】
（中間折目部）
蓋片部４０Ｂには、上稜部折曲線Ｌ３と蓋片折曲線５１Ｌとの間に中間折目部６０が形成されている。中間折目部６０は、段潰領域６０Ａに中間折曲線６０Ｂを形成し、蓋片部４０Ｂ（段ボールシート）の剛性を低下させるものである。なお、中間折目部６０は、汎用罫線から成る各折曲線Ｌ１〜Ｌ３よりも段ボールシートの剛性を低下させる（弱める）ようになっている。
【００３２】
図４に示すように、段潰領域６０Ａは、段ボールシート（蓋片部４０Ｂ）を裏ライナ９Ｃの側から厚み方向に圧縮して中しん９Ａを潰した領域である。段潰領域６０Ａの厚さは、他の部分（汎用罫線を除く。）の厚さよりも薄く形成されている。図３に示すように、段潰領域６０Ａは、上稜部折曲線Ｌ３と蓋片折曲線５１Ｌとの間隔の中央付近（詳細には、中央よりも数ｍｍ程度、上稜部折曲線Ｌ３の側にずれた位置）に形成されている。段潰領域６０Ａは、上稜部折曲線Ｌ３と蓋片折曲線５１Ｌとから離間した位置で、且つ上稜部折曲線Ｌ３と蓋片折曲線５１Ｌとの間隔（Ｄ）の１／２程度の範囲に形成されている。また、段潰領域６０Ａは、蓋片部４０Ｂを流れ方向に横断する帯状に形成されている。なお、図面では、段潰領域６０Ａ（中しん９Ａを潰した部分）にハッチングを付している。
【００３３】
図３に示すように、中間折曲線６０Ｂは、段ボールシート（蓋片部４０Ｂ）を厚み方向に直線状に切断した切断線である。中間折曲線６０Ｂは、段潰領域６０Ａの略中央部において流れ方向に延びた状態に形成されている。中間折曲線６０Ｂは、一対の切目線４０Ｌから離間した位置で、蓋片部４０Ｂの流れ方向の寸法の略１／４の長さに形成されている。
【００３４】
［包装箱の組立］
次に、図１および図５を参照して、折り畳まれた包装箱１を組み立てる工程（組立作業）等について説明する。図５は包装箱１に内容物Ｍを収容する過程を示す斜視図である。なお、包装箱１は、作業者によって手作業で組み立てられてもよいし、製函機によって自動または半自動で組み立てられてもよい。ここでは、一例として、作業者が包装箱１を組み立てる場合について説明する。
【００３５】
作業者は、一対の第１側壁１０，１１と一対の第２側壁１２，１３とを縦稜部折曲線Ｌ１で略直角に折り曲げる。すると、一対の第１側壁１０，１１は左右方向に対向し、一対の第２側壁１２，１３は前後方向に対向する（図５参照）。これにより、上下両端面を開口した周壁１Ｗが形成される。
【００３６】
次に、作業者は、一対の下内フラップ２０，２１を下稜部折曲線Ｌ２に沿って周壁１Ｗの内側に折り曲げた後、一対の下外フラップ２２，２３を下稜部折曲線Ｌ２に沿って周壁１Ｗの内側に折り曲げる（図１参照）。作業者は、一対の下外フラップ２２，２３の先端部の突き合せ部に沿って粘着テープ（図示せず）を貼り付ける。これにより、周壁１Ｗの下面開口が閉塞され、包装箱１の底面が形成される（図１参照）。
【００３７】
次に、図５に示すように、作業者は、周壁１Ｗの上面開口から内部に２つの内容物Ｍを入れる。内容物Ｍは、各側壁１０〜１３の内面に略接触した状態で収容される。つまり、内容物Ｍは、包装箱１（周壁１Ｗ）の内部に密に収容される。
【００３８】
次に、作業者は、上内フラップ３０，３１を上稜部折曲線Ｌ３に沿って周壁１Ｗの内側に折り曲げた後、上外フラップ３２，３３を上稜部折曲線Ｌ３に沿って周壁１Ｗの内側に折り曲げる（図１参照）。作業者は、一対の上外フラップ３２，３３の先端部の突き合せ部に沿って粘着テープを貼り付ける。これにより、周壁１Ｗの上面開口が閉塞され、包装箱１の天面が形成される（図１参照）。なお、以上の説明では、一対の下外フラップ２２，２３および一対の上外フラップ３２，３３は、粘着テープによって周壁１Ｗに固定されていたが、これに限らず、接着剤を介して各内フラップ２０，２１，３０，３１の表面に接着されてもよい。
【００３９】
以上によって、包装箱１の組立作業が完了する。つまり、包装箱１は封緘された状態になる（図１参照）。
【００４０】
［包装箱の開封および内容物の取り出し］
次に、図６および図７を参照して、包装箱１の開封作業について説明する。図６は包装箱１から内容物Ｍを取り出す過程を示す斜視図である。図７は、図６のＶＩＩ−ＶＩＩ断面図である。
【００４１】
ユーザは、粘着テープを剥がして（または裂いて）、一対の上外フラップ３２，３３および一対の上内フラップ３０，３１を開き（立ち上げ）、内容物Ｍの上面を露出させる。
【００４２】
ところで、上記したように、内容物Ｍは周壁１Ｗの内部に密に収容されているため、内容物Ｍと周壁１Ｗの内周面との間にはユーザが手（指）を入れることができる隙間は無い。この状態では、ユーザは包装箱１の内部に収容された内容物Ｍを掴むことができないため、内容物Ｍの取り出しが困難となっていた。そこで、本実施形態に係る包装箱１では、上方のフラップ３０〜３３を各側壁１０〜１３の外側に開く動作に連動して傾動片４０を各側壁１０〜１３の外側に倒し、内容物Ｍと周壁１Ｗの内周面との間に隙間を生じさせるようになっている。
【００４３】
図６に示すように、ユーザは、上稜部折曲線Ｌ３を支点として各側壁１０〜１３の外側に上方のフラップ３０〜３３を開く。正確には、ユーザは、上方のフラップ３０〜３３の外面と各側壁１０〜１３の外面とが略直角になるように、上方のフラップ３０〜３３を周壁１Ｗの外側に折り曲げる。なお、上方のフラップ３０〜３３を全て周壁１Ｗの外側に折り曲げる必要はなく、上方のフラップ３０〜３３の少なくとも１つを折り曲げればよい。また、４つの傾動片４０の作用は同一であるため、以下、第１側壁１０および上内フラップ３０に形成された１つの傾動片４０の作用について説明する。
【００４４】
図７に示すように、上内フラップ３０が第１側壁１０の外側に開かれると、側片部４０Ａは、上内フラップ３０を開く動作に連動して、側片折曲線５０Ｌを支点として第１側壁１０の外側に向かって倒れる。つまり、側片部４０Ａは、側片折曲線５０Ｌで山折りされる。この際、側片部４０Ａは、傾動片４０において剛性が最も低くなっている中間折目部６０を押し上げながら倒れる。すると、上内フラップ３０を開く動作に連動して、蓋片部４０Ｂは、中間折目部６０で山折りされながら蓋片折曲線５１Ｌで谷折りされる。また、側片部４０Ａと蓋片部４０Ｂとは上稜部折曲線Ｌ３で折れることなく、蓋片部４０Ｂの先端側（中間折曲線６０Ｂと上稜部折曲線Ｌ３との間）は側片部４０Ａと共に倒れる。
【００４５】
以上のように、傾動片４０は、側片折曲線５０Ｌ、蓋片折曲線５１Ｌおよび中間折目部６０（中間折曲線６０Ｂ）を頂点とする略三角形状に折れ曲がりながら第１側壁１０の外側に倒れる。したがって、側片部４０Ａが内容物Ｍから離れるように倒れるため、側片部４０Ａと内容物Ｍとの間に空間Ｓが形成される。この空間Ｓは、側片部４０Ａを斜面として上方から下方に向かって狭くなる略三角柱状に形成される。
【００４６】
図６に示すように、例えば、ユーザは、左右一対の傾動片４０を第１側壁１０，１１の外側に傾動させて左右一対の空間Ｓを形成する。そして、ユーザは、一対の空間Ｓに両手（指）を入れて内容物Ｍを挟んで（掴んで）持ち上げる。以上のように、ユーザは包装箱１から内容物Ｍを取り出すことができる。
【００４７】
以上説明した本実施形態に係る包装箱１によれば、傾動片４０の機能を知らないユーザであっても、上方のフラップ３０〜３３を開くことで自動的に傾動片４０の側片部４０Ａを各側壁１０〜１３の外側に倒すことができる。これにより、ユーザは側片部４０Ａと内容物Ｍとの間に形成された空間Ｓに手を入れて内容物Ｍを容易に取り出すことができる。
【００４８】
また、本実施形態に係る包装箱１では、蓋片部４０Ｂが段潰領域６０Ａおよび中間折曲線６０Ｂによって剛性を弱められる構成とした。この構成によれば、上方のフラップ３０〜３３を各側壁１０〜１３の外側に折り曲げる過程で、中間折目部６０が最上点になるように蓋片部４０Ｂを折り曲げることができる。これにより、上方のフラップ３０〜３３を開く動作に、中間折目部６０を押し上げながら側片部４０Ａを倒す動作を適切に連動させることができる。
【００４９】
また、段潰領域６０Ａに中間折曲線６０Ｂを形成することによって、段潰領域６０Ａまたは中間折曲線６０Ｂを蓋片部４０Ｂに形成した場合に比べて、蓋片部４０Ｂの剛性を有効に弱める（低下させる）ことができる。これにより、蓋片部４０Ｂを中間折目部６０で折り曲げ易くすることができ、上方のフラップ３０〜３３を開く動作と、中間折目部６０を押し上げながら側片部４０Ａを倒す動作との円滑な連動を担保することができる。
【００５０】
また、本実施形態に係る包装箱１によれば、中間折目部６０を、上稜部折曲線Ｌ３と蓋片折曲線５１Ｌとの間隔の中央付近に形成することによって、上方のフラップ３０〜３３を開く動作に連動して蓋片部４０Ｂを中間折目部６０で折り曲げ易くすることができる。
【００５１】
また、本実施形態に係る包装箱１では、側片部４０Ａが側片折曲線５０Ｌを介して各側壁１０〜１３に連設され、蓋片部４０Ｂが蓋片折曲線５１Ｌを介して上方のフラップ３０〜３３に連設されていた。この構成によれば、側片部４０Ａを側片折曲線５０Ｌに沿って各側壁１０〜１３の外側に倒れ易くすることができ、蓋片部４０Ｂを蓋片折曲線５１Ｌに沿って中間折目部６０を持ち上げるように折れ易くすることができる。
【００５２】
なお、本実施形態に係る包装箱１では、段潰領域６０Ａが上稜部折曲線Ｌ３と蓋片折曲線５１Ｌとの間隔（Ｄ）の略半分の範囲に形成されていたが、本発明はこれに限定されない。段潰領域６０Ａは、上稜部折曲線Ｌ３と蓋片折曲線５１Ｌとの間隔（Ｄ）の１／３以上２／３以下の範囲に形成されていればよい。また、段潰領域６０Ａは、段ボールシートを裏ライナ９Ｃの側から厚み方向に潰して形成されていたが、これに限らず、例えば、段ボールシートの表裏両面から圧縮して中しん９Ａを潰して形成されてもよい（図示せず）。
【００５３】
また、本実施形態に係る包装箱１では、中間折曲線６０Ｂ（切断線）が段潰領域６０Ａの略中央部に形成されていたが、本発明はこれに限定されない。例えば、中間折曲線６０Ｂは、段潰領域６０Ａの基端側（蓋片折曲線５１Ｌの側）または先端側（上稜部折曲線Ｌ３の側）にずれて形成されていてもよい（図示せず）。また、中間折曲線６０Ｂの長さ（流れ方向の寸法）は、段ボールシートの厚みや材料自体の剛性等に応じて適宜調整することができる。
【００５４】
なお、本実施形態に係る包装箱１は、段潰領域６０Ａに中間折曲線６０Ｂを形成した中間折目部６０を備えていたが、本発明はこれに限定されない。例えば、図８に示すように、第１変形例に係る包装箱１の傾動片４１では、中間折曲線６０Ｂが省略され、中間折目部６１が段ボールシートを厚み方向に潰した段潰領域６０Ａであってもよい。また、これとは逆に、図９に示すように、第２変形例に係る包装箱１の傾動片４２では、段潰領域６０Ａが省略され、中間折目部６２が中間折曲線６０Ｂ（切断線）であってもよい。なお、いずれの中間折目部６１，６２も、各折曲線Ｌ１〜Ｌ３よりも段ボールシートの剛性を低下させる（弱める）ように設計されている。
【００５５】
また、本実施形態に係る包装箱１は、中間折曲線６０Ｂが切断線であったが、本発明はこれに限定されない。中間折曲線６０Ｂは、切断線に代えて、以下に説明するような線であってもよい。
【００５６】
例えば、図１０に示すように、第３変形例に係る包装箱１の傾動片４３（中間折目部６３）では、中間折曲線６３Ｂが、段ボールシートを表ライナ９Ｂの側（表側）から厚み方向に直線状に潰した逆罫線であってもよい。他にも、図１１に示すように、第４変形例に係る包装箱１の傾動片４４（中間折目部６４）では、中間折曲線６４Ｂが、段ボールシートを厚み方向に切断した複数の切目を直線状に間隔をあけて並べたミシン線であってもよい。また、他にも、図１２に示すように、第５変形例に係る包装箱１の傾動片４５（中間折目部６５）では、中間折曲線６５Ｂが、汎用罫線（または逆罫線）上に複数の切目を間隔をあけて並べたリード罫線であってもよい。さらに、他にも、図１３に示すように、第６変形例に係る包装箱１の傾動片４６（中間折目部６６）では、中間折曲線６６Ｂが、段ボールシートを裏ライナ９Ｃの側（裏側）から厚み方向の途中まで直線状に切断した半切り線（矢視Ｚ参照）であってもよい。なお、いずれの中間折目部６３〜６６は、各折曲線Ｌ１〜Ｌ３よりも段ボールシートの剛性を低下させる（弱める）ように設計されている。また、上記した中間折曲線６３Ｂ〜６６Ｂは、これらが単独で中間折目部６３〜６６を構成してもよいし、段潰領域６０Ａと組み合わせて中間折目部６３〜６６を構成してもよい（図示せず）。また、上記した中間折曲線６３Ｂ〜６６Ｂの形成位置や長さ等は、段ボールシートの厚みや材料自体の剛性等に応じて適宜調整することができる。
【００５７】
以上説明した本実施形態の第１〜第６変形例に係る包装箱１によれば、上方のフラップ３０〜３３を開くことで自動的に傾動片４１〜４６を各側壁１０〜１３の外側に倒すことができる等、既に説明した包装箱１（傾動片４０）と同様の作用、効果を得ることができる。
【００５８】
また、本実施形態に係る包装箱１では、傾動片４０を形成するための一対の切目線４０Ｌが互いに平行に延びていたが、本発明はこれに限定されない。例えば、図１４に示すように、第７変形例に係る包装箱１では、一対の切目線４７Ｌが、各側壁１０〜１３から上方のフラップ３０〜３３に向かって互いに接近するように傾斜していてもよい。すなわち、傾動片４７（側片部４７Ａ，蓋片部４７Ｂ）は、各側壁１０〜１３から上方のフラップ３０〜３３に向かって幅狭くなる略台形状に形成されていてもよい。なお、傾動片４７が抜け出した後に形成される抜出穴も、傾動片４７と同等の略台形状に形成されることになる。なお、中間折目部６０に代えて、第１〜第６変形例に係る中間折目部６１〜６６を採用してもよい。
【００５９】
以上説明した本実施形態の第７変形例に係る包装箱１によれば、中間折目部６０が最上点となるように側片部４７Ａを各側壁１０〜１３の外側に倒した状態で、蓋片部４７Ｂの上稜部折曲線Ｌ３の側（先端側部分）が、上方のフラップ３０〜３３の側の抜出穴に押し込まれる。これにより、蓋片部４７Ｂの先端側部分が抜出穴の側縁部に係合するため、側片部４７Ａを倒れた状態に保持することができる。その結果、上方のフラップ３０〜３３が開いた状態に維持されるため、ユーザは内容物Ｍを更に容易に取り出すことができる。
【００６０】
また、例えば、図１５に示すように、一対の切目線４８Ｌは、各側壁１０〜１３から上方のフラップ３０〜３３に向かって互いに離間するように傾斜していてもよい（第８変形例）。すなわち、傾動片４８（側片部４８Ａ，蓋片部４８Ｂ）は、各側壁１０〜１３から上方のフラップ３０〜３３に向かって幅広くなる略台形状に形成されていてもよい。この場合、第７変形例に係る包装箱１のような上方のフラップ３０〜３３を開いた状態に維持する機能は無くなるが、第１〜第６変形例に係る包装箱１と同様の作用、効果を得ることができる。なお、中間折目部６０に代えて、第１〜第６変形例に係る中間折目部６１〜６６を採用してもよい。
【００６１】
なお、本実施形態に係る包装箱１（第１〜第８変形例を含む。以下同じ。）では、傾動片４０〜４８が各側壁１０〜１３の上部および上方のフラップ３０〜３３に形成されていたが、本発明はこれに限定されない。例えば、包装箱を天地逆さまにして開封するような場合には、傾動片４０〜４８が各側壁１０〜１３の下部および下方のフラップ２０〜２３に形成されていてもよい（図示せず）。
【００６２】
また、本実施形態に係る包装箱１では、側片部４０Ａ，４７Ａ，４８Ａが１本の側片折曲線５０Ｌを介して連設され、蓋片部４０Ｂ，４７Ｂ，４８Ｂが１本の蓋片折曲線５１Ｌを介して連設されていたが、本発明はこれに限定されない。例えば、側片部４０Ａ等は２本の側片折曲線５０Ｌを介して連設され、蓋片部４０Ｂ等は２本の蓋片折曲線５１Ｌを介して連設されていてもよい。２本の側片折曲線５０Ｌおよび２本の蓋片折曲線５１Ｌは、それぞれ、数ｍｍの間隔をあけて平行に形成されていることが好ましい。
【００６３】
また、本実施形態に係る包装箱１は、所謂Ａ式の段ボール箱であったが、本発明はこれに限定されない。例えば、１つの側壁から延びた差し込み式の蓋壁を備えたＢ式の段ボール箱や、内容物Ｍを巻き込むように封緘するラップアラウンドケース等、他の形式の箱に本発明の特徴を適用してもよい。また、包装箱１では上面を開口するように形成されていたが、これに限らず、他の包装箱として側面を開口するように形成されてもよい（図示せず）。この場合、各フラップ３０〜３３の回動軸（汎用罫線）は上下方向に延び、傾動片４０〜４８は側面開口の周縁部に形成されることになる。また、包装箱１の大きさも、内容物Ｍの数、大きさ、形状に応じて自由に変更することができる。さらに、この包装箱１には２つの内容物Ｍが前後に並べられて収容されていたが、内容物Ｍの収容数や配列は、これに限定されるものではなく、内容物Ｍの大きさや形状に応じて自由に変更することができる。
【００６４】
また、本実施形態に係る包装箱１は、紙製の段ボールシートで形成されていたが、これに限らず、例えば、厚紙や樹脂製の板等で形成されていてもよい。
【００６５】
なお、上記実施形態の説明は、本発明に係る包装箱における一態様を示すものであって、本発明の技術範囲は、上記実施形態に限定されるものではない。
【符号の説明】
【００６６】
１                      包装箱
１０，１１              第１側壁（側壁）
１２，１３              第２側壁（側壁）
３０，３１              上内フラップ（蓋壁）
３２，３３              上外フラップ（蓋壁）
４０〜４８              傾動片
４０Ａ，４７Ａ，４８Ａ  側片部
４０Ｂ，４７Ｂ，４８Ｂ  蓋片部
４０Ｌ，４７Ｌ，４８Ｌ  切目線
５０Ｌ                  側片折曲線
５１Ｌ                  蓋片折曲線
６０〜６６              中間折目部
６０Ａ                  段潰領域
６０Ｂ，６３Ｂ〜６６Ｂ  中間折曲線
Ｌ３                    上稜部折曲線
【図１】
2019137409.tif 000003
【図２】
2019137409.tif 000004
【図３】
2019137409.tif 000005
【図４】
2019137409.tif 000006
【図５】
2019137409.tif 000007
【図６】
2019137409.tif 000008
【図７】
2019137409.tif 000009
【図８】
2019137409.tif 000010
【図９】
2019137409.tif 000011
【図１０】
2019137409.tif 000012
【図１１】
2019137409.tif 000013
【図１２】
2019137409.tif 000014
【図１３】
2019137409.tif 000015
【図１４】
2019137409.tif 000016
【図１５】
2019137409.tif 000017